(57)【特許請求の範囲】
【請求項１】
内周面の母線に沿って横断面形状が略Ｖ字形のカム溝を形成した外筒と、この外筒に回転自在に嵌合し、間隙を介して中心軸線方向に積層された複数の仕切板を設けると共に、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記仕切板の間の各スロットに、中央部に鍵孔を包囲し得る大きさの鍵挿通孔を形成し、剛性を高めるため環状に成形したロータリーディスクタンブラーを挿設し、その実体部の１ヵ所を、内筒を軸線方向に貫通する支軸に揺動可能に軸支すると共に、鍵挿通孔を挟んで上記支軸と対峙するロータリーディスクタンブラーの実体部であり、円弧の一部をなす自由端部外側端縁に解錠切欠を形成し、一方、鍵挿通孔の開口端縁に、先端の移動軌跡が鍵孔に挿入された合鍵のブレードの平面部又は端縁部と干渉する係合突起を一体に突設し、各ロータリーディスクタンブラーをこの係合突起が合鍵に近接する方向に付勢すると共に、常態では内筒を軸線方向に貫通するバックアップピンに係止し、他方、これらのタンブラー群の係合突起の夫々が鍵孔に挿通された合鍵のブレードに形成された対応する窪みと係合したとき、各ロータリーディスクタンブラーの解錠切欠がロッキングバーの内側縁と整合するようにし、以て、合鍵と一体的に内筒を回動させたさせたとき、カム溝とロッキングバーとの間に生じる楔作用によりロッキングバーを内筒中心軸方向に移動させ、内筒を外筒に対し相対回動できるようにしたロータリーディスクタンブラー錠の少なくとも１個のタンブラーを休止タンブラーとして指定し、休止タンブラーの、鍵挿通孔を挟んで支軸と対峙するロータリーディスクタンブラーの実体部である自由端部内側端縁に係止突起を形成して、コンストラクションキー装置作動時、この係止突起をバックアップピンに係合させることにより休止タンブラーを不作動状態に置き、もって休止タンブラーに臨む部分より先のブレードの側端縁を切り欠いて細くし、或いは短くした工事専用のコンストラクションキーの使用を可能にし、一方、コンストラクションキー装置作動時上記休止タンブラーと係合する部分の近傍を切り欠いたバックアップピンを、軸線方向に一定距離移動可能に案内すると共に、上記切欠部分が休止タンブラーと整合する方向に付勢し、他方、コンストラクションキー装置作動時上記バックアップピンと係合してこれをコンストラクションキー装置作動位置に係止する作動板を内筒半径方向に移動可能に設け、この作動板に重合するように配設され、内筒半径方向に移動可能に案内されたリセットタンブラーの、鍵挿通孔を挟んで支軸と対峙するロータリーディスクタンブラーの実体部である自由端部外側縁に、コンストラクションキーが鍵孔に挿入された時ロッキングバーと整合する解錠切欠を形成し、もってコンストラクションキー使用時ロッキングバーのリセットタンブラーの切欠への係入を許して作動板をバックアップピン係止位置に保持し、リセットタンブラーの係合突起に臨むブレード平面部を確保した住戸鍵の操作時、リセットタンブラー及びリセットタンブラーと作動板との係止部を介してロッキングバーにより作動板を動かし、作動板によるバックアップピンの係止を解いてバックアップピンを解放し、もってバックアップピンの切り欠き部分と休止タンブラーとを整合させて、コンストラクションキー装置を解除するようにしたことを特徴とするコンストラクションキー装置付ロータリーディスクタンブラー錠。
【請求項２】
内周面の母線に沿って横断面形状が略Ｖ字形のカム溝を形成した外筒と、この外筒に回転自在に嵌合し、間隙を介して中心軸線方向に積層された複数の仕切板を設けると共に、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記仕切板の間の各スロットに、中央部に鍵孔を包囲し得る大きさの鍵挿通孔を形成し、剛性を高めるため環状に成形したロータリーディスクタンブラーを挿設し、その実体部の１ヵ所を、内筒を軸線方向に貫通する支軸に揺動可能に軸支すると共に、鍵挿通孔を挟んで上記支軸と対峙するロータリーディスクタンブラーの実体部であり、円弧の一部をなす自由端部外側端縁に解錠切欠を形成し、一方、鍵挿通孔の開口端縁に、先端の移動軌跡が鍵孔に挿入された合鍵のブレードの平面部又は端縁部と干渉する係合突起を一体に突設し、各ロータリーディスクタンブラーをこの係合突起が合鍵に近接する方向に付勢すると共に、常態では内筒を軸線方向に貫通するバックアップピンに係止し、他方、これらのタンブラー群の係合突起の夫々が鍵孔に挿通された合鍵のブレードに形成された対応する窪みと係合したとき、各ロータリーディスクタンブラーの解錠切欠がロッキングバーの内側縁と整合するようにし、以て、合鍵と一体的に内筒を回動させたさせたとき、カム溝とロッキングバーとの間に生じる楔作用によりロッキングバーを内筒中心軸方向に移動させ、内筒を外筒に対し相対回動できるようにしたロータリーディスクタンブラー錠の少なくとも１個のタンブラーを第１休止タンブラーとして指定し、また、第１休止タンブラーより内方においてこれに隣接する少なくとも１個のタンブラーを第２休止タンブラーとして指定し、これら第１及び第２休止タンブラーの、鍵挿通孔を挟んで支軸と対峙するロータリーディスクタンブラーの実体部である自由端部内側端縁に係止突起を形成して、コンストラクションキー装置作動時、この係止突起をバックアップピンに係合させることにより休止タンブラーを不作動状態に置き、もって休止タンブラーに臨む部分より先のブレードの側端縁を切り欠いて細くし、或いは短くした第１コンストラクションキーの使用を可能にし、一方、コンストラクションキー装置作動時上記休止タンブラーと係合する部分の近傍を切り欠いたバックアップピンを、第１休止タンブラーと係合する第１バックアップピンと、第２休止タンブラーと係合する第２バックアップピンとに分割し、夫々軸線方向に一定距離移動可能に案内すると共に、第１バックアップピンをその切欠部分が休止タンブラーと整合する方向に付勢し、他方、コンストラクションキー装置作動時上記第１バックアップピンと係合してこれをコンストラクションキー装置作動位置に係止する第１作動板と、第２バックアップピンをコンストラクションキー装置作動位置に係止する第２作動板とを、夫々内筒半径方向に移動可能に設け、これらの作動板の夫々に重合するように配設され、内筒半径方向に移動可能に案内された第１及び第２リセットタンブラーの、鍵挿通孔を挟んで支軸と対峙するロータリーディスクタンブラーの実体部である自由端部外側縁に、コンストラクションキーが鍵孔に挿入された時ロッキングバーと整合する解錠切欠を形成し、もって第１コンストラクションキー使用時ロッキングバーのリセットタンブラーの切欠への係入を許して作動板をバックアップピン係止位置に保持し、一方、第１リセットタンブラーの係合突起に臨むブレード平面部を確保すると共に、第２休止タンブラーに臨む部分より先のブレードの側端縁を切り欠いて細くし、或いは短くした第２コンストラクションキーの操作時、第１リセットタンブラー及び第１リセットタンブラーと第１作動板との係止部を介してロッキングバーにより第１作動板を動かし、第１作動板による第１バックアップピンの係止を解いて第１バックアップピンを解放し、以て第１バックアップピンの切り欠き部分と第１休止タンブラーとを整合させて、第２コンストラクションキーの使用を可能にし、また、第２リセットタンブラーの係合突起に臨むブレード平面部を確保した住戸鍵の最初の使用時、第２リセットタンブラー及び第２リセットタンブラーと第２作動板との係止部を介してロッキングバーにより第２作動板を動かし、第２作動板による第２バックアップピンの係止を解くと共に、１バックアップピンを介して第２バックアップピンを解放し、以て第２バックアップピンの切り欠き部分と第２休止タンブラーとを整合させ、以てコンストラクションキー装置を解除するようにしたことを特徴とするコンストラクションキー装置付ロータリーディスクタンブラー錠。
【請求項３】
内周面の母線に沿って横断面形状が略Ｖ字形のカム溝を形成した外筒と、この外筒に回転自在に嵌合し、間隙を介して中心軸線方向に積層された複数の仕切板を設けると共に、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記仕切板の間の各スロットに、中央部に鍵孔を包囲し得る大きさの鍵挿通孔を形成し、剛性を高めるため環状に成形したロータリーディスクタンブラーを挿設し、その実体部の１ヵ所を、内筒を軸線方向に貫通する支軸に揺動可能に軸支すると共に、鍵挿通孔を挟んで上記支軸と対峙するロータリーディスクタンブラーの実体部であり、円弧の一部をなす自由端部外側端縁に解錠切欠を形成し、一方、鍵挿通孔の開口端縁に、先端の移動軌跡が鍵孔に挿入された合鍵のブレードの平面部又は端縁部と干渉する係合突起を一体に突設し、各ロータリーディスクタンブラーをこの係合突起が合鍵に近接する方向に付勢すると共に、常態では内筒を軸線方向に貫通するバックアップピンに係止し、他方、これらのタンブラー群の係合突起の夫々が鍵孔に挿通された合鍵のブレードに形成された対応する窪みと係合したとき、各ロータリーディスクタンブラーの解錠切欠がロッキングバーの内側縁と整合するようにし、以て、合鍵と一体的に内筒を回動させたさせたとき、カム溝とロッキングバーとの間に生じる楔作用によりロッキングバーを内筒中心軸方向に移動させ、内筒を外筒に対し相対回動できるようにしたロータリーディスクタンブラー錠の少なくとも１個のタンブラーを第１休止タンブラーとして指定し、また、第１休止タンブラーより内方においてこれに隣接する少なくとも１個のタンブラーを第２休止タンブラーとして指定し、これら第１及び第２休止タンブラーの、鍵挿通孔を挟んで支軸と対峙するロータリーディスクタンブラーの実体部である自由端部内側端縁に係止突起を形成して、コンストラクションキー装置作動時、この係止突起をバックアップピンに係合させることにより休止タンブラーを不作動状態に置き、もって休止タンブラーに臨む部分より先のブレードの側端縁を切り欠いて細くし、或いは短くした第１コンストラクションキーの使用を可能にし、一方、コンストラクションキー装置作動時上記休止タンブラーと係合する部分の近傍を切り欠いたバックアップピンの内筒中心軸線に対向する側に、その長さ方向にそって、第１及び第２の係止切欠を形成し、バックアップピンを内方に移動可能に案内すると共に、内方に付勢し、他方、コンストラクションキー装置作動時上記第１係止切欠と係合してこれをコンストラクションキー装置作動位置に係止する第１作動板と、これら第１係止切欠と第１作動板との係合が解け、バックアップピンが更に内方に移動したとき第２係止切欠と係合する第２作動板とを夫々内筒半径方向に移動可能に設け、これらの作動板の夫々に重合するように配設され、内筒半径方向に移動可能に案内された第１及び第２リセットタンブラーの、鍵挿通孔を挟んで支軸と対峙するロータリーディスクタンブラーの実体部である自由端部外側縁に、コンストラクションキーが鍵孔に挿入された時ロッキングバーと整合する解錠切欠を形成し、もって第１コンストラクションキー使用時ロッキングバーのリセットタンブラーの切欠への係入を許して作動板をバックアップピン係止位置に保持し、一方、第１リセットタンブラーの係合突起に臨むブレード平面部を確保すると共に、第２休止タンブラーに臨む部分より先のブレードの側端縁を切り欠いて細くし、或いは短くした第２コンストラクションキーの操作時、第１リセットタンブラー及び第１リセットタンブラーと第１作動板との係止部を介してロッキングバーにより第１作動板を動かし、第１作動板によるバックアップピンの係止を解いてバックアップピンを解放し、以てバックアップピンの切り欠き部分と第１休止タンブラーとを整合させて、第２コンストラクションキーの使用を可能にし、また、第２リセットタンブラーの係合突起に臨むブレード平面部を確保した住戸鍵の最初の使用時、第２リセットタンブラー及び第２リセットタンブラーと第２作動板との係止部を介してロッキングバーにより第２作動板を動かし、第２作動板によるバックアップピンの係止を解き、以て第２バックアップピンの切り欠き部分と第２休止タンブラーとを整合させ、以てコンストラクションキー装置を解除するようにしたことを特徴とするコンストラクションキー装置付ロータリーディスクタンブラー錠。
【請求項４】
上記リセットタンブラーと作動板との係止部が、作動板のリセットタンブラーに対向する面に突設され、リセットタンブラーの、鍵挿通孔を挟んで支軸と対峙するロータリーディスクタンブラーの実体部である自由端部の内側端縁に臨むリセット突起である請求項１又は２に記載のコンストラクションキー装置付ロータリーディスクタンブラー錠。
【請求項５】
上記リセットタンブラーと作動板との係止部が、リセットタンブラーの作動板に対向する面に突設され、作動板に開口したピン孔と嵌合した係合ピンである請求項１又は２に記載のコンストラクションキー装置付ロータリーディスクタンブラー錠。
【発明の詳細な説明】
【０００１】
【発明の属する技術分野】
この発明は、コンストラクションキー装置付ロータリーディスクタンブラー錠（以下単にコンス錠という）に係り、特に、コンストラクションキー装置を合鍵で解除できるようにしたコンス錠に関する。
【０００２】
【従来の技術】
本出願人は、先に、特願２００１−３１６８８５を以て、従来の所謂レバータンブラー錠（ロータリーディスクシリンダ錠）を改良した新規なロータリーディスクタンブラー錠を提案した。
【０００３】
このロータリーディスクタンブラー錠は、内周面の母線に沿ってカム溝を形成した外筒と、この外筒に回転自在に嵌合し、間隙を介して中心軸線方向に積層された複数の仕切板を設けると共に、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記仕切板の間の各スロットに、中央部に鍵孔を包囲し得る大きさの鍵挿通孔を形成した環状のロータリーディスクタンブラーを挿設し、その実体部の１ヵ所を、内筒を軸線方向に貫通する支軸に揺動可能に軸支すると共に、自由端部外側端縁に解錠切欠を形成し、一方、鍵挿通孔の開口端縁に、先端の移動軌跡が鍵孔に挿入された合鍵のブレードの平面部又は端縁部と干渉する係合突起を一体に突設し、各ロータリーディスクタンブラーをこの係合突起が合鍵に近接する方向に付勢すると共に、常態では内筒を軸線方向に貫通するバックアップピンに係止し、他方、これらのタンブラー群の係合突起の夫々が鍵孔に挿通された合鍵のブレードに形成された対応する窪みと係合したとき、各ロータリーディスクタンブラーの解錠切欠がロッキングバーの内側縁と整合するようにしたことを特徴とするものである。
【０００４】
上記したロータリーディスクタンブラー錠の構成を更に要約すると、図１に示すように、中央部に鍵孔を包囲し得る大きさの鍵挿通孔１を形成した環状のロータリーディスクタンブラー２を支軸３に揺動可能に軸支すると共に、自由端部外側端縁に解錠切欠４を形成し、一方、鍵挿通孔１の開口端縁に、先端の移動軌跡が鍵孔５に挿入された合鍵６のブレードの平面部又は端縁部と干渉する係合突起７を一体に突設し、各ロータリーディスクタンブラー２をこの係合突起７が合鍵６に近接する方向に付勢すると共に、常態ではバックアップピン８に係止し、他方、これらのタンブラー群の係合突起の夫々が鍵孔５に挿通された合鍵６のブレードに形成された対応する窪み９と係合したとき、各ロータリーディスクタンブラーの解錠切欠４をロッキングバー１１の内側縁と整合させるものである。
【０００５】
一方、コンストラクションキー装置とは、工事中はコンストラクションキー（工事専用鍵）という特殊な鍵で各住戸の錠前の施解錠を行い、工事完了後に、コンストラクションキー装置を解除すれば、コンストラクションキーは使用不能となり、以後施主又は入居者が使う合鍵（住戸鍵）だけが使えるようになる装置のことで、工事中における施工者の錠前施解錠作業及び鍵管理業務の合理化を図り、更に施主又は入居者のより一層の安全を確保するために案出されたものである。
【０００６】
尚、ここで合鍵とは、所謂スペアキー（予備の鍵）のことではなく、一の錠前を解錠するための正規の鍵形状を有する鍵をいうものとする。
【０００７】
【発明が解決しようとする課題】
本出願人は、先に、特願平６−１２６９６６号を以て、コンストラクションキー装置を解除するために特殊な工具を必要とせず、住戸鍵で解除できるコンストラクションキー装置付レバータンブラー錠を提案した。
【０００８】
この発明は、上記特願平６−１２６９６６号に係る技術思想を前記特願２００１−３１６８８５に係るロータリーディスクタンブラー錠に適用したコンス錠を提案すると共に、コンストラクションキー装置の機能を更に向上させ、工事中使用する第１コンストラクションキー装置と、工事完成後家主等が使用する管理用の第２コンストラクションキー装置に切換えることができるコンス錠を提供することを目的としている。
【０００９】
【課題を解決するための手段】
上記の目的を達成するため、請求項１に記載の発明は、内周面の母線に沿って横断面形状が略Ｖ字形のカム溝を形成した外筒と、この外筒に回転自在に嵌合し、間隙を介して中心軸線方向に積層された複数の仕切板を設けると共に、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記仕切板の間の各スロットに、中央部に鍵孔を包囲し得る大きさの鍵挿通孔を形成し、剛性を高めるため環状に成形したロータリーディスクタンブラーを挿設し、その実体部の１ヵ所を、内筒を軸線方向に貫通する支軸に揺動可能に軸支すると共に、鍵挿通孔を挟んで上記支軸と対峙するロータリーディスクタンブラーの実体部であり、円弧の一部をなす自由端部外側端縁に解錠切欠を形成し、一方、鍵挿通孔の開口端縁に、先端の移動軌跡が鍵孔に挿入された合鍵のブレードの平面部又は端縁部と干渉する係合突起を一体に突設し、各ロータリーディスクタンブラーをこの係合突起が合鍵に近接する方向に付勢すると共に、常態では内筒を軸線方向に貫通するバックアップピンに係止し、他方、これらのタンブラー群の係合突起の夫々が鍵孔に挿通された合鍵のブレードに形成された対応する窪みと係合したとき、各ロータリーディスクタンブラーの解錠切欠がロッキングバーの内側縁と整合するようにし、以て、合鍵と一体的に内筒を回動させたさせたとき、カム溝とロッキングバーとの間に生じる楔作用によりロッキングバーを内筒中心軸方向に移動させ、内筒を外筒に対し相対回動できるようにしたロータリーディスクタンブラー錠の少なくとも１個のタンブラーを休止タンブラーとして指定し、休止タンブラーの、鍵挿通孔を挟んで支軸と対峙するロータリーディスクタンブラーの実体部である自由端部内側端縁に係止突起を形成して、コンストラクションキー装置作動時、この係止突起をバックアップピンに係合させることにより休止タンブラーを不作動状態に置き、もって休止タンブラーに臨む部分より先のブレードの側端縁を切り欠いて細くし、或いは短くした工事専用のコンストラクションキーの使用を可能にし、一方、コンストラクションキー装置作動時上記休止タンブラーと係合する部分の近傍を切り欠いたバックアップピンを、軸線方向に一定距離移動可能に案内すると共に、上記切欠部分が休止タンブラーと整合する方向に付勢し、他方、コンストラクションキー装置作動時上記バックアップピンと係合してこれをコンストラクションキー装置作動位置に係止する作動板を内筒半径方向に移動可能に設け、この作動板に重合するように配設され、内筒半径方向に移動可能に案内されたリセットタンブラーの、鍵挿通孔を挟んで支軸と対峙するロータリーディスクタンブラーの実体部である自由端部外側縁に、コンストラクションキーが鍵孔に挿入された時ロッキングバーと整合する解錠切欠を形成し、もってコンストラクションキー使用時ロッキングバーのリセットタンブラーの切欠への係入を許して作動板をバックアップピン係止位置に保持し、リセットタンブラーの係合突起に臨むブレード平面部を確保した住戸鍵の操作時、リセットタンブラー及びリセットタンブラーと作動板との係止部を介してロッキングバーにより作動板を動かし、作動板によるバックアップピンの係止を解いてバックアップピンを解放し、もってバックアップピンの切り欠き部分と休止タンブラーとを整合させて、コンストラクションキー装置を解除するようにしたことを特徴とする。
【００１０】
また、請求項２に記載の発明は、内周面の母線に沿って横断面形状が略Ｖ字形のカム溝を形成した外筒と、この外筒に回転自在に嵌合し、間隙を介して中心軸線方向に積層された複数の仕切板を設けると共に、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記仕切板の間の各スロットに、中央部に鍵孔を包囲し得る大きさの鍵挿通孔を形成し、剛性を高めるため環状に成形したロータリーディスクタンブラーを挿設し、その実体部の１ヵ所を、内筒を軸線方向に貫通する支軸に揺動可能に軸支すると共に、鍵挿通孔を挟んで上記支軸と対峙するロータリーディスクタンブラーの実体部であり、円弧の一部をなす自由端部外側端縁に解錠切欠を形成し、一方、鍵挿通孔の開口端縁に、先端の移動軌跡が鍵孔に挿入された合鍵のブレードの平面部又は端縁部と干渉する係合突起を一体に突設し、各ロータリーディスクタンブラーをこの係合突起が合鍵に近接する方向に付勢すると共に、常態では内筒を軸線方向に貫通するバックアップピンに係止し、他方、これらのタンブラー群の係合突起の夫々が鍵孔に挿通された合鍵のブレードに形成された対応する窪みと係合したとき、各ロータリーディスクタンブラーの解錠切欠がロッキングバーの内側縁と整合するようにし、以て、合鍵と一体的に内筒を回動させたさせたとき、カム溝とロッキングバーとの間に生じる楔作用によりロッキングバーを内筒中心軸方向に移動させ、内筒を外筒に対し相対回動できるようにしたロータリーディスクタンブラー錠の少なくとも１個のタンブラーを第１休止タンブラーとして指定し、また、第１休止タンブラーより内方においてこれに隣接する少なくとも１個のタンブラーを第２休止タンブラーとして指定し、これら第１及び第２休止タンブラーの、鍵挿通孔を挟んで支軸と対峙するロータリーディスクタンブラーの実体部である自由端部内側端縁に係止突起を形成して、コンストラクションキー装置作動時、この係止突起をバックアップピンに係合させることにより休止タンブラーを不作動状態に置き、もって休止タンブラーに臨む部分より先のブレードの側端縁を切り欠いて細くし、或いは短くした第１コンストラクションキーの使用を可能にし、一方、コンストラクションキー装置作動時上記休止タンブラーと係合する部分の近傍を切り欠いたバックアップピンを、第１休止タンブラーと係合する第１バックアップピンと、第２休止タンブラーと係合する第２バックアップピンとに分割し、夫々軸線方向に一定距離移動可能に案内すると共に、第１バックアップピンをその切欠部分が休止タンブラーと整合する方向に付勢し、他方、コンストラクションキー装置作動時上記第１バックアップピンと係合してこれをコンストラクションキー装置作動位置に係止する第１作動板と、第２バックアップピンをコンストラクションキー装置作動位置に係止する第２作動板とを、夫々内筒半径方向に移動可能に設け、これらの作動板の夫々に重合するように配設され、内筒半径方向に移動可能に案内された第１及び第２リセットタンブラーの、鍵挿通孔を挟んで支軸と対峙するロータリーディスクタンブラーの実体部である自由端部外側縁に、コンストラクションキーが鍵孔に挿入された時ロッキングバーと整合する解錠切欠を形成し、もって第１コンストラクションキー使用時ロッキングバーのリセットタンブラーの切欠への係入を許して作動板をバックアップピン係止位置に保持し、一方、第１リセットタンブラーの係合突起に臨むブレード平面部を確保すると共に、第２休止タンブラーに臨む部分より先のブレードの側端縁を切り欠いて細くし、或いは短くした第２コンストラクションキーの操作時、第１リセットタンブラー及び第１リセットタンブラーと第１作動板との係止部を介してロッキングバーにより第１作動板を動かし、第１作動板による第１バックアップピンの係止を解いて第１バックアップピンを解放し、以て第１バックアップピンの切り欠き部分と第１休止タンブラーとを整合させて、第２コンストラクションキーの使用を可能にし、また、第２リセットタンブラーの係合突起に臨むブレード平面部を確保した住戸鍵の最初の使用時、第２リセットタンブラー及び第２リセットタンブラーと第２作動板との係止部を介してロッキングバーにより第２作動板を動かし、第２作動板による第２バックアップピンの係止を解くと共に、１バックアップピンを介して第２バックアップピンを解放し、以て第２バックアップピンの切り欠き部分と第２休止タンブラーとを整合させ、以てコンストラクションキー装置を解除するようにしたことを特徴とする。
【００１１】
更にまた、請求項３に記載の発明は、内周面の母線に沿って横断面形状が略Ｖ字形のカム溝を形成した外筒と、この外筒に回転自在に嵌合し、間隙を介して中心軸線方向に積層された複数の仕切板を設けると共に、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記仕切板の間の各スロットに、中央部に鍵孔を包囲し得る大きさの鍵挿通孔を形成し、剛性を高めるため環状に成形したロータリーディスクタンブラーを挿設し、その実体部の１ヵ所を、内筒を軸線方向に貫通する支軸に揺動可能に軸支すると共に、鍵挿通孔を挟んで上記支軸と対峙するロータリーディスクタンブラーの実体部であり、円弧の一部をなす自由端部外側端縁に解錠切欠を形成し、一方、鍵挿通孔の開口端縁に、先端の移動軌跡が鍵孔に挿入された合鍵のブレードの平面部又は端縁部と干渉する係合突起を一体に突設し、各ロータリーディスクタンブラーをこの係合突起が合鍵に近接する方向に付勢すると共に、常態では内筒を軸線方向に貫通するバックアップピンに係止し、他方、これらのタンブラー群の係合突起の夫々が鍵孔に挿通された合鍵のブレードに形成された対応する窪みと係合したとき、各ロータリーディスクタンブラーの解錠切欠がロッキングバーの内側縁と整合するようにし、以て、合鍵と一体的に内筒を回動させたさせたとき、カム溝とロッキングバーとの間に生じる楔作用によりロッキングバーを内筒中心軸方向に移動させ、内筒を外筒に対し相対回動できるようにしたロータリーディスクタンブラー錠の少なくとも１個のタンブラーを第１休止タンブラーとして指定し、また、第１休止タンブラーより内方においてこれに隣接する少なくとも１個のタンブラーを第２休止タンブラーとして指定し、これら第１及び第２休止タンブラーの、鍵挿通孔を挟んで支軸と対峙するロータリーディスクタンブラーの実体部である自由端部内側端縁に係止突起を形成して、コンストラクションキー装置作動時、この係止突起をバックアップピンに係合させることにより休止タンブラーを不作動状態に置き、もって休止タンブラーに臨む部分より先のブレードの側端縁を切り欠いて細くし、或いは短くした第１コンストラクションキーの使用を可能にし、一方、コンストラクションキー装置作動時上記休止タンブラーと係合する部分の近傍を切り欠いたバックアップピンの内筒中心軸線に対向する側に、その長さ方向にそって、第１及び第２の係止切欠を形成し、バックアップピンを内方に移動可能に案内すると共に、内方に付勢し、他方、コンストラクションキー装置作動時上記第１係止切欠と係合してこれをコンストラクションキー装置作動位置に係止する第１作動板と、これら第１係止切欠と第１作動板との係合が解け、バックアップピンが更に内方に移動したとき第２係止切欠と係合する第２作動板とを夫々内筒半径方向に移動可能に設け、これらの作動板の夫々に重合するように配設され、内筒半径方向に移動可能に案内された第１及び第２リセットタンブラーの、鍵挿通孔を挟んで支軸と対峙するロータリーディスクタンブラーの実体部である自由端部外側縁に、コンストラクションキーが鍵孔に挿入された時ロッキングバーと整合する解錠切欠を形成し、もって第１コンストラクションキー使用時ロッキングバーのリセットタンブラーの切欠への係入を許して作動板をバックアップピン係止位置に保持し、一方、第１リセットタンブラーの係合突起に臨むブレード平面部を確保すると共に、第２休止タンブラーに臨む部分より先のブレードの側端縁を切り欠いて細くし、或いは短くした第２コンストラクションキーの操作時、第１リセットタンブラー及び第１リセットタンブラーと第１作動板との係止部を介してロッキングバーにより第１作動板を動かし、第１作動板によるバックアップピンの係止を解いてバックアップピンを解放し、以てバックアップピンの切り欠き部分と第１休止タンブラーとを整合させて、第２コンストラクションキーの使用を可能にし、また、第２リセットタンブラーの係合突起に臨むブレード平面部を確保した住戸鍵の最初の使用時、第２リセットタンブラー及び第２リセットタンブラーと第２作動板との係止部を介してロッキングバーにより第２作動板を動かし、第２作動板によるバックアップピンの係止を解き、以て第２バックアップピンの切り欠き部分と第２休止タンブラーとを整合させ、以てコンストラクションキー装置を解除するようにしたことを特徴とする。
【００１２】
【実施例】
以下、この発明の実施例を図面を参照して説明する。
この発明によるコンス錠は、上記特願２００１−３１６８８５によって提案されたロータリーディスクタンブラー錠に、後述のコンストラクションキー装置を組込んだものである。
【００１３】
しかして、前記して簡単に構成を説明したロータリーディスクタンブラー錠と従来のレバータンブラー錠との大きな違いは、タンブラーの形状が環状であること、及び、ブレードの側端縁の鍵溝の代りに合鍵の平面部及び端縁部に窪みを形成したことの２点であるから、ロータリーディスクタンブラー錠の更に詳細な説明は省略する。
【００１４】
また、説明の都合上、構成がより複雑な請求項２に記載のコンス錠についてのみ実施例を説明する。請求項１に記載のコンス錠の説明は、請求項２についての説明の中に含まれてしまうからである。
【００１５】
図２及び図３において符号１２は回り止めの凸条１３を一体的に結合した外筒であって、この突条１３の内側にはカム溝１４が形成されている。
【００１６】
上記外筒１２の内孔内には、全体を符号１４で示す内筒が回転自在に嵌合している。この内筒１４は、図３に示すように、扉等の外面側に露出するフランジ付盤状のキーガイド１５と、尾栓１６との間に、複数の仕切板１７、１７が間隙を介して内筒軸線方向に積層されて配設されている。図示の実施例では、第１及至第１０仕切板１７−１〜１７−１０が設けられている。
【００１７】
各仕切板１７は、例えば図２に示すように、全体の形状が略円形の板状体であり、図２で左右両側には円弧状の挿入片１７ａ，１７ａが一体に形成され、中央部には図示のように複雑な形状の鍵孔５と、台形と矩形とを組合せた六角形のバックアップピン挿通孔１７ｂとが開口している。
【００１８】
図示の実施例で鍵孔５の横断面形状を図示のように複雑にしたのは、所謂ウォードの種類を多くして鍵違いを多くする目的の他、鍵孔５内におけるピッキング工具の操作を困難にするためである。
【００１９】
また、鍵孔５（合鍵６）の断面形状を内筒１４の中心軸線に関して点対称としたのは、合鍵の裏表に関係無く合鍵を鍵孔５に挿入できる所謂リバーシブルキーにするためである。
【００２０】
また、図２に示すように、鍵孔５に関して支軸３と反対側の外周部は図示のように凸字形に切り欠かれ、ロッキングバー１１を内筒の半径方向に移動可能に案内するための案内溝１７ｃが形成されている。
【００２１】
上記のように構成された例えば１０枚の仕切板１７−１〜１７−１０、後述の作動板、前記キーガイド１５及び尾栓１６は、図２に示すリテーナ１８、１８を介して相互に一体的に結合され、内筒１４を構成している。
【００２２】
上記リテーナ１８は、円筒の一部をその母線に沿って一定の幅で切り欠いた形状の、湾曲した板状体で（図示せず）、その長さ方向に沿って、仕切板１７の挿入片１７ａと嵌合する矩形の開口が列設されており、これら一対のリテーナ１８、１８は、仕切板１７、１７を介して相互に結合されるのだが、その構造は既に周知であるから、更に詳細な説明は省略する。
【００２３】
上記のように構成された内筒１４の一の仕切板１７と、隣接する他の仕切板１７との間に形成されたスロットには、図１及び図２に示すように、中央部に鍵孔５を包囲し得る大きさの鍵挿通孔１を形成した環状のロータリーディスクタンブラー２が挿設されている。
【００２４】
以上述べたのはロータリーディスクタンブラー錠の代表的な構成であり、その作用は前記した通りであるから、更に詳細な説明は省略するが、本発明によるコンス錠は、上記したロータリーディスクタンブラー錠の一部を変更してコンストラクションキー装置を組込んでいる。
【００２５】
すなわち、図３に示すコンス錠においては、複数のロータリーディスクタンブラーの内少なくとも１個のタンブラーを第１休止タンブラー２１として、また、第１休止タンブラー２１より内方においてこれに隣接する少なくとも１個のタンブラーを第２休止タンブラー２２として指定する。
【００２６】
図３に示す実施例においては、鍵孔５の外側の開口から見て４個目のタンブラーが第１休止タンブラー２１として、同じく６個目から１０個目迄の５個のタンブラーが第２休止タンブラー２２−１〜２２−５として指定されている。
【００２７】
なお、内筒１４において外側の３個のタンブラー２、２は工事中用いられるタンブラーを、５個目のタンブラー及び最も奥にあるタンブラーは後述する第１及び第２リセットタンブラーを夫々示す。
【００２８】
上記第１及び第２休止タンブラー２１、２２は、図２に示すように、通常のロータリーディスクタンブラー２と同様の形状であり、その自由端部外側縁には解錠切欠４も形成されている。異なるところは、その自由端部内側縁に係止突起１９が形成されている点のみである。
【００２９】
係止突起１９の形成箇所と解錠切欠４の位置関係は、第１及び第２休止タンブラー２１、２２共、図２に示すように、鍵孔５に合鍵６が挿入されていない常態において、係止突起１９がバックアップピン８に当接してその角度位置に係止されているとき、解錠切欠４がロッキングバー１１に整合するように設定するものとする。
【００３０】
また、図３に示すように、バックアップピンは、第１休止タンブラー２１を制御する第１バックアップピン８１と、第２休止タンブラー２２を制御する第２バックアップピン８２とに分割されている。
【００３１】
これら第１及び第２バックアップピン８１、８２は、夫々軸線方向（長手方向）に一定距離移動可能に案内されていると共に、リセットばね２３の弾力により、第１バックアップピン８１は内方（図３で右方）に付勢されている。
【００３２】
一方、各休止タンブラー２１、２２の近傍における第１又は第２バックアップピン８１（８２）の部分は、休止タンブラー２１、２２に対応して断続的に切り欠かれ、少なくとも休止タンブラー２１、２２と同数の切欠部分８１ａ、８２ａが形成されている。
【００３３】
図３に示す実施例では、第１休止タンブラー２１は１個、第２休止タンブラー２２は５個としたから、第１バックアップピン８１に於ける切欠部分８１ａの数は１、第２バックアップピン８２に於けるそれは５である。
【００３４】
上記第１及び第２バックアップピン８１、８２の各切欠部分８１ａ、８２ａの形成箇所は、そのロッキングバー１１に対向する側面部分で、且つ、対応する休止タンブラー２１、２２より鍵孔５の開口に近い部分である。
【００３５】
また、バックアップピン８１、８２の各切欠部分８１ａ、８２ａのロッキングバー１１から見た切込み深さは、この切欠部分８１ａ、８２ａと休止タンブラー２１、２２とが内筒軸線方向において整合したとき、後者の係止突起１９がこの切欠部分を潜り抜けることができる程度に設定されている。
【００３６】
他方、図３はコンストラクションキー装置が作動している状態を示し、この状態では、切欠部分８１ａ、８２ａが対応する休止タンブラー２１、２２と整合しない位置に第１及び第２バックアップピン８１、８２が係止されている。
【００３７】
上記バックアップピン８１、８２を作動位置に係止し、コンストラクションキー装置を作動させるため、図３で左から４番目の仕切板１７−４が第１バックアップピン８１を作動位置に係止する第１作動板２４として、内筒最奥の第１０仕切板１７−１０が第２バックアップピン８２を作動位置に係止する第２作動板２５として指定されている。
【００３８】
この作動板２４（２５）の形状構造は、図４に示すように、概ね、他の仕切板１７（図２参照）と同様である。異なるところの第一点は、上下方向においてほぼ２等分に分割されていて、その下半分が図４で上下方向、すなわち内筒の半径方向に移動できることである。
【００３９】
また、バックアップピン８１（８２）の挿通孔の両側、及び案内溝１７ｃの両側の計４ヵ所のハッチングを施した部分は、図面手前側に突出してリセット突起１７ｄを構成している。
【００４０】
尚、図示の実施例では、このリセット突起１７ｄ、１７ｄは、図４に示すように、後述のリセットタンブラー２８（２９）を挟むように配設されているが、実際にはリセットタンブラー２８（２９）の自由端部内側端縁に臨むもの（図７で上側のもの）だけあれば作動に支障はない。
【００４１】
また、図４において符号２６で示す富士山形の部分は、作動板２４（２５）の可動の下半分の上端縁においてバックアップピンの挿通孔に隣接して突設された係止部を示し、この係止部２６は、バックアップピン８１（８２）の挿通孔の上方を一部塞ぐ態様で形成されている。
【００４２】
そして、作動板２４（２５）の移動可能な下半分は、図４に示すように、作動板ばね２７、２７（図４参照）の弾力により、上記係止部２６が各バックアップピン８１（８２）の内端部の切欠段部（付番せず）と係合する方向に付勢されている。
【００４３】
一方、これら第１及び第２作動板２４、２５に重合するようにして、図３において第１作動板２４の左側に形成されたスロットには第１リセットタンブラー２８が、第２作動板２５の右側のスロットには第２リセットタンブラー２９が夫々挿設されている。
【００４４】
これらのリセットタンブラー２８、２９は、休止タンブラー２１、２２と同様に、その支軸挿通孔１７ｅが長孔になっていて（図２及び図４参照）、作動板２４、２５と同様に、全体として内筒半径方向に移動できる。
【００４５】
また、例えばタンブラーばね３１の弾力によりその係合突起７が鍵孔１１に近接する方向に付勢されている点、或いは自由端部外側縁に解錠切欠４が形成されている点等は、他のロータリーディスクタンブラー２と同様である。
【００４６】
上記リセットタンブラー２８、２９に於ける解錠切欠４の形成角度位置は、図４に示すように外力が作用しない常態においては、ロッキングバー１１と角度的に整合するように設定されている。
【００４７】
尚、リセットタンブラー２８、２９は、その自由端部が前記作動板２４、２５のリセット突起１７ｄ、１７ｄの間に挟まれた状態でスロット内に組込まれる。
【００４８】
上記のように構成された請求項２に係る発明の一実施例によるコンス錠は、第１及び第２コンストラクションキー装置作動時には、図３及び図４に示すように、リセットばね２３の弾力により内方に付勢された第１バックアップピン８１が、内端の段部を第１作動板２４の係止部２６に弾接させるようにして、コンストラクションキー装置作動位置に係止されている。
【００４９】
また、第２バックアップピン８２は、図３に示すように、内端の付番しない切欠を第２作動板２５の係止部２６と係合させると共に、外端を第１作動板２４の係止部の内面に当接させる態様で、コンストラクションキー装置作動位置に係止されている。
【００５０】
この第１及び第２の双方のコンストラクションキー装置作動時には、図２及び図３に示すように、第１及び第２休止タンブラー２１、２２共、その係止突起１９がバックアップピン８１（８２）と当接し、解錠切欠４がロッキングバー１１の内側縁と整合する角度位置にある。
【００５１】
工事中、図３に示すように、第１リセットタンブラー２８に対応する部分より内方を短くした第１コンストラクションキーＣＫ１を鍵孔に挿入すると、第１コンストラクションキーＣＫ１は第１リセットタンブラー２８に接触せず、したがってリセットタンブラー２８の解錠切欠４（図４参照）はロッキングバー１１と整合した状態を保つ。
【００５２】
この状態は、第２作動板２５（図３及び図４参照）においても同様である。
【００５３】
このとき内筒を回せば、ロッキングバー１１はリセットタンブラーとは干渉せずに内筒半径方向に移動するから、他のロータリーディスクタンブラー２、２も解錠角度位置に置かれることを条件として、このコンス錠は工事期間中第１コンストラクションキーＣＫ１によって施解錠できる。
【００５４】
しかして、図５に示すように、工事完了後最初に第２コンストラクションキーＣＫ２を鍵孔５に挿入すると、図６に示すように、第１リセットタンブラー２８の係合突起７に臨むブレード平面部を確保した第２コンストラクションキーＣＫ２が第１リセットタンブラー２８を時計方向に押動し、その結果、第１リセットタンブラー２８の解錠切欠４がロッキングバー１１と整合しなくなる。
【００５５】
この状態で内筒１４を回動させると、図７に示すように、楔作用により外筒のカム溝３２から外筒１２の内周面に乗り上がるロッキングバー１１が、その過程において、内筒半径方向に移動して第１リセットタンブラー２８の自由端部と干渉し、これをロッキングバー１１の移動方向と同方向に押動する。
【００５６】
このとき、第１リセットタンブラー２８と第１作動板２４とは、後者に形成された突起１７ｄを介して一体的に結合されているから、両者は内筒の半径方向、すなわち図７で上方に移動し、その結果第１作動板２４と第１バックアップピン８１との係合が解かれ、後者は前者から解放される。
【００５７】
すると、第１バックアップピン８１はリセットばね２３（図３参照）の弾力によりその切欠部分８１ａが対応する第１休止タンブラ２１と整合する方向に移動し、このようにして第１コンストラクションキー装置が解除される。
【００５８】
第１コンストラクションキー装置の解除状態では、図５に示すように、第１バックアップピン８１の内端が第２バックアップピン８２の外端に当接してこれに係止され、このようにして第１バックアップピン８１の内筒軸線方向の延在位置が規定される。
【００５９】
第２バックアップピン８２は、図５に示すように、その内端に形成された付番しない切欠を第２作動板２５の係止部２６と係合させた状態にあり、第１バックアップピン８１が弾接してもその軸線方向の位置は変らない。この状態が第２コンストラクションキー装置が作動している状態である。
【００６０】
尚、図示の実施例では、第１リセットタンブラー２８の動きを第１作動板２４に伝達するため、第１作動板２４に突起を形成し、これを第１リセットタンブラー２８に係合させるようにしたが、これは、例えば第１リセットタンブラー２８の第１作動板側の面に係合ピンを突設し、これを第１作動板２４に形成した長穴に係合させるようにしてもよい（図示せず）。この場合、長穴の形状は、第１コンストラクションキーＣＫ１による第１リセットタンブラー２８の回動に伴い円弧となる。
【００６１】
上記した第１コンストラクションキー装置解除時（第２コンストラクションキー装置作動時）には、図８に示すように、第１休止タンブラー２１（図示の実施例では１個）の係止突起１９が第１バックアップピン８１の切欠部分８１ａを潜り抜けるので、第１休止タンブラー２１はその付勢力により所定の角度回動する。
【００６２】
そして、その解錠切欠４がロッキングバー１１と角度的に整合しなくなるので、この第１休止タンブラー２１がロータリーディスクタンブラー２として機能し始める。
【００６３】
そのため、この第１休止タンブラー２１の係合突起７に臨む部分に適切な深さの窪み９（図１参照）を形成した第２コンストラクションキーＣＫ２のみが使用可能になり、それまで（すなわち工事中）使用していた第１コンストラクションキーＣＫ１は無効となる。
【００６４】
上記第２コンストラクションキーＣＫ２は、例えば完成した建物が販売されるまで、不動産会社が建物管理のために使用する。
【００６５】
ところで、その建物が売れると、不動産会社は居住者に建物を引き渡す際合鍵（住戸鍵：図示せず）をも引き渡す。この合鍵は、内筒の奥の５枚の第２休止タンブラー２２−１〜２２−５（図３参照）に対応する窪みを正規に形成すると共に、最奥の第２リセットタンブラー２９の係合突起７に臨むブレード平面部を確保できる程度に長くしたものである。
【００６６】
そして居住者がこの合鍵を鍵孔に最初に挿入すると、このときには第２コンストラクションキー装置が作動中であるから、当然解錠されるのだが、同時に、前記したように、また、図６及び図７に示すように、第２リセットタンブラー２９が第２バックアップピン２９を解放する。
【００６７】
すると、図９に示すように、リセットばね２３の弾力を第１バックアップピン８１を介して受けている第２バックアップピン８２は、第１バックアップピン８１によって内方に押動され、図９に示す所定の位置に迄押込まれる。
【００６８】
すると、第２バックアップピン８２の切欠部分８２ａ、８２ａが夫々対応する第２休止タンブラ２２と整合する方向に移動し、このようにして第２コンストラクションキー装置も解除される。
【００６９】
この第２コンストラクションキー装置の解除時、第１バックアップピン８１も第２バックアップピン８２と一体的に更に内筒の奥に移動するが、第１バックアップピン８１の切欠部分８１ａは少し長くなっているので（図３参照）、第１休止タンブラー２１が切欠部分８１ａから外れてしまうことはない。
【００７０】
上記のようにして第２コンストラクションキー装置が解除されると、それまで不動産会社が使用していた第２コンストラクションキーＣＫ２は無効となり、以後合鍵のみが使用可能となる。
【００７１】
図１０乃至図１９はこの請求項３に記載の発明の実施例を示し、この実施例においても、コンストラクションキー装置作動時、図１０に示すように、休止タンブラー２１、２２の係止突起１９はバックアップピン８に係止され、その解錠切欠４が常時ロッキングバー１１と整合する不作動角度位置にある。
【００７２】
しかしながら、コンストラクションキー装置装置が解除されると、図１１に示すように、休止タンブラーがバックアップピンの切欠８ａ（図１２参照）と整合し、上記係止突起１８がこの切欠８ａに係入する結果、解錠切欠４がロッキングバー１１と整合しなくなり、タンブラーとして作動し始めることは上記した実施例と同様である。
【００７３】
なお、図１１及び図１２で係合突起７が２重線で表わされているのは、この部分に例えばプレス加工により傾斜をつけ、合鍵との係合時作動を円滑にするためである（図１３参照）。
【００７４】
また、タンブラーばね３１はロータリーディスクタンブラーの作動の確実性を向上させるため捩りコイルばねとなっており、これに対応して、支軸３に関し内筒中心軸とは反対側にばね軸３３が付設され、これにタンブラーばね３１が巻装されている（図１０参照）。
【００７５】
一方、図１２に示すように、請求項３に記載の発明におけるバックアップピン８は前記したように分割されておらず、単一の杆体である。
【００７６】
そして、このバックアップピン８の内筒中心軸線に対向する側に、その長さ方向に沿って、第１及び第２係止切欠３４、３５、その反対側に切欠８ａ、８ａが夫々形成されている。
【００７７】
一方、請求項３に記載の発明においては、図１３に示す合計１１枚のロータリーディスクタンブラーの内キーガイド１５に近い３枚は、コンストラクションキー装置作動時、及び解除時に渡って常時使用されるロータリーディスクタンブラーを示す。
【００７８】
そして、以下図３と同様にして、１時休止タンブラー２１、第１リセットタンブラー２８、第１乃至第５の２次休止タンブラー２２−１〜２２−５及び第２リセットタンブラー２９となっている。
【００７９】
前記請求項２に記載の発明によるコンストラクションキー装置付ロータリーディスクタンブラー錠と請求項３に記載の発明によるそれとの違いは、前者が１次及び２次休止タンブラー２１、２２を２本に分割されて長さ方向に連設された第１及び第２バックアップピン８１、８２の夫々に係止するようにし、これらのバックアップピンの間に間隙を設け、第１バックアップピン８にが内方に移動して１次休止タンブラーを解放するときには第２バックアップピンを動かさないようにしている。
【００８０】
これに対し、後者、すなわち請求項３に記載の発明によるコンストラクションキー装置付ロータリーディスクタンブラー錠においては、図１３に示すように、第１コンストラクションキーＣＫ１使用時、第１係止切欠３４（図１２参照）と第１作動板２４とを係合させ、バックアップピン８を図１３に示す作動位置に保つとき、第２係止切欠３５の左方の段部と第２作動板２５との間に間隙を保たせる。
【００８１】
前記したように、また後にもう１回述べるように、第２コンストラクションキーＣＫ２を鍵孔に挿入して、第１リセットタンブラー２８により作動板２６の係止部２６を内筒中心軸線方向に動かして係止部２６と第１係止切欠３４との係合を解くとき、図１４に示すように、バックアップピン８はリセットばね２３の弾力により右方に移動して、切欠８ａ（図１２参照）と１次休止タンブラー２１とを内筒軸線方向において整合させる。
【００８２】
同時に、第２係止切欠３５の左方の段部が第２作動板２５の係止部２６に衝止され、バックアップピン８が図１４に示す位置に保たれると共に、第２コンストラクションキーＣＫ２の使用が可能となる。
【００８３】
そして、不動産会社から住戸鍵ＨＫを手渡された居住者が最初に住戸鍵ＨＫを挿入すると、前記したと同様にして第２作動板２５がバックアップピン８を解放し、バックアップピン８は図１５に示すように更に右方に移動して、全ロータリーディスクタンブラーがタンブラーとして作動するに致る。
【００８４】
図１６は第１（第２）作動板２４（２５）を内方（図１３で右方）から見た図で、作動板は上下２枚に別れ、上方の作動板は固定されているが、下方のものは上下方向に移動可能に案内されると共に、下方に付勢されていることは前記した第４図示のものと同様である。
【００８５】
また、下方の作動板に開口したバックアップピン挿通孔１７ｂ（図１７参照）の上方に係止部２６が形成されていて、バックアップピン８はその係止切欠３４（３５）の図１７で手前側の段部をこの係止部２６と係合させることにより作動板に係止される。
【００８６】
しかして、リセットタンブラー２８（２９）の係合突起７が鍵の平面部に当接すると、図１７に示すように、リセットタンブラーの解錠切欠４がロッキングバー１１から外れ、この状態で合鍵を介して内筒を回動させると、リセットタンブラー２８（２９）が作動板のリセット突起１７ｄを介して作動板の下半分を内筒中心軸線に近接させるように押動し、この結果バックアップピン８は係止部２６から解放されて紙面方向に移動し、図１９に示すように、係止部２６の下方に潜り込むようにして新しい位置に落ち着く。
【００８７】
【発明の効果】
以上の説明から明らかなように、請求項１に記載された発明は、選択された少なくとも１個のタンブラーを休止タンブラーとして指定し、これら休止タンブラーに係止突起を形成して、コンストラクション装置作動時、この係止突起をバックアップピンに係合させて休止タンブラーを不作動状態に置き、もってこの休止タンブラーに臨む部分を細くし或いは短くしたコンストラクションキーを使用可能とし、一方、工事完了後最初の合鍵の使用により、バックアップピンを内筒軸線方向に移動させ、休止タンブラーをバックアップピンの切り欠き部分を潜らせて自由にし、もってコンストラクション装置を専門の工具や技術無しに解除できるようにしたので、コンストラクション装置の解錠作業を格段に合理化することができる。
【００８８】
又、同じ理由により、合鍵を取り扱う者の数を最小にすることができ、錠前の安全性をより一層高めることができる。
【００８９】
更に又、原理上、コンストラクションキーの形状を合鍵のそれとは全く異なったものにすることができるので、コンストラクションキーから合鍵を複製される恐れが全く無い。
【００９０】
加えて、請求項２及び請求項３に記載の発明によれば、コンストラクションキー装置を２段階に切換えることができ、錠前の安全性を更に向上させることができると共に、工事及び建物の管理を更に容易にすることができる、等種々の効果を奏する。
【図面の簡単な説明】
【図１】本出願人が先に提案したロータリーディスクタンブラー錠の拡大横断面図。
【図２】請求項２に記載の発明の一実施例によるコンス錠の拡大横断面図で、コンストラクションキー装置が作動している場合を示す。
【図３】請求項２に記載の発明の一実施例によるコンス錠の拡大縦断面図で、第１及び第２コンストラクションキー装置が作動している場合を示す。
【図４】図３に示すコンス錠の作動板及びリリースタンブラー部分の横断面図で、コンストラクションキー装置が作動している場合を示す。
【図５】図３と同様のコンス錠の縦断面図で、第１コンストラクションキー装置が解除された状態を示す。
【図６】図４と同様のコンス錠の作動板及びリリースタンブラー部分の横断面図で、鍵孔に第２コンストラクションキー又は合鍵が挿入された状態を示す。
【図７】図４と同様のコンス錠の作動板及びリリースタンブラー部分の横断面図で、鍵孔に第２コンストラクションキー又は合鍵を挿入して解錠し、内筒を少し回動させた状態を示す。
【図８】図２と同様のコンス錠の拡大横断面図で、コンストラクションキー装置が解除された状態を示す。
【図９】図３と同様のコンス錠の縦断面図で、第１及び第２コンストラクションキー装置が解除された状態を示す。
【図１０】請求項３に記載の発明の一実施例によるコンス錠の拡大横断面図で、コンストラクションキー装置が作動している場合を示す。
【図１１】請求項３に記載の発明の一実施例によるコンス錠の拡大横断面図で、コンストラクションキー装置が解除された場合を示す。
【図１２】請求項３に記載の発明の一実施例によるコンス錠のバックアップピンの側面図。
【図１３】請求項３に記載の発明の一実施例によるコンス錠の拡大縦断面図で、第１及び第２コンストラクションキー装置が作動している場合を示す。
【図１４】請求項３に記載の発明の一実施例によるコンス錠の拡大縦断面図で、第２コンストラクションキー装置が作動している場合を示す。
【図１５】請求項３に記載の発明の一実施例によるコンス錠の拡大縦断面図で、コンストラクションキー装置が解除された場合を示す。
【図１６】請求項３に記載の発明によるコンス錠の作動板及びリリースタンブラー部分の横断面図で、コンストラクションキー装置が作動している場合を示す。
【図１７】図１６と同様のコンス錠の作動板及びリリースタンブラー部分の横断面図で、鍵孔に第２コンストラクションキー又は合鍵が挿入された状態を示す。
【図１８】図１６と同様のコンス錠の作動板及びリリースタンブラー部分の横断面図で、鍵孔に第２コンストラクションキー又は合鍵を挿入して解錠し、内筒を少し回動させた状態を示す。
【図１９】図１６と同様のコンス錠の拡大横断面図で、コンストラクションキー装置が解除された状態を示す。
【符号の説明】
１  鍵挿通孔
２  ロータリーディスクタンブラー
３  支軸
４  解錠切欠
５  鍵孔
６  合鍵
７  係合突起
８  バックアップピン
９  窪み
１１  ロッキングバー
１２  外筒
１３  凸条
１４  内筒
１５  キーガイド
１６    尾栓
１７  仕切板
１８リテーナ
１９  係止突起
２１  第１休止タンブラー
２２  第２休止タンブラー
２３  リセットばね
２４  第１作動板
２５  第２作動板
２６  係止部
２７  作動板ばね
２８  第１リセットタンブラー
２９  第２リセットタンブラー
３１  タンブラーばね
３２  カム溝
３３  ばね軸
３４  第１係止切欠
３５  第２係止切欠
８１  第１バックアップピン
８２  第２バックアップピン
【図１】
0004008308.tif 000002
【図２】
0004008308.tif 000003
【図３】
0004008308.tif 000004
【図４】
0004008308.tif 000005
【図５】
0004008308.tif 000006
【図６】
0004008308.tif 000007
【図７】
0004008308.tif 000008
【図８】
0004008308.tif 000009
【図９】
0004008308.tif 000010
【図１０】
0004008308.tif 000011
【図１１】
0004008308.tif 000012
【図１２】
0004008308.tif 000013
【図１３】
0004008308.tif 000014
【図１４】
0004008308.tif 000015
【図１５】
0004008308.tif 000016
【図１６】
0004008308.tif 000017
【図１７】
0004008308.tif 000018
【図１８】
0004008308.tif 000019
【図１９】
0004008308.tif 000020